(57)【要約】【課題】多様な出力装置利用者に適した観光情報といったコンテンツの取得と、選別と、コンテンツを統合した地図情報の出力が可能な情報処理システムを実現する。【解決手段】本発明に係る情報処理システムは情報蓄積装置と情報処理端末からなる。情報蓄積装置は、コンテンツ情報収集手段と情報蓄積手段とを備えており、コンテンツ情報収集手段はコンテンツ情報を収集し、情報蓄積手段はコンテンツ情報および地図情報を蓄積する。情報処理端末は、利用者情報取得手段とコンテンツ情報取得手段と統合出力手段とを備えており、利用者情報取得手段は利用者の属性情報または選別条件からなる利用者情報を取得し、コンテンツ情報取得手段は利用者情報に基づいて情報蓄積装置からコンテンツ情報を取得し、統合出力手段はコンテンツ情報取得手段により取得されたコンテンツ情報を地図情報に統合した統合画像を生成し出力する。【選択図】  図１
2015082277.tif 000002
【特許請求の範囲】
【請求項１】
情報蓄積装置と情報処理端末からなる情報処理システムであって、
前記情報蓄積装置は、コンテンツ情報収集手段と情報蓄積手段とを備え、
前記コンテンツ情報収集手段は、コンテンツ情報を収集するものであり、
前記情報蓄積手段は、前記コンテンツ情報および地図情報を蓄積するものであり、
前記情報処理端末は、利用者情報取得手段とコンテンツ情報取得手段と統合出力手段とを備え、
前記利用者情報取得手段は、利用者の属性情報または選別条件からなる利用者情報を取得するものであり、
前記コンテンツ情報取得手段は、前記利用者情報に基づいて、前記情報蓄積装置から前記コンテンツ情報を取得するものであり、
前記統合出力手段は、前記コンテンツ情報取得手段により取得された前記コンテンツ情報を前記地図情報に統合した統合画像を生成し出力するものであることを特徴とする情報処理システム。
【請求項２】
前記利用者情報は、利用者が選択した情報カテゴリであることを特徴とする、請求項１に記載の情報処理システム。
【請求項３】
前記利用者情報は、利用者の移動手段、年齢情報、メンバー構成、利用履歴、環境情報のうちいずれかを含むことを特徴とする、請求項１に記載の情報処理システム。
【請求項４】
前記情報処理端末は、前記統合画像に、さらに利用者の移動軌跡を統合して出力することを特徴とする、請求項１に記載の情報処理システム。
【請求項５】
利用者の属性情報または選別条件からなる利用者情報を取得する利用者情報取得手段と、
前記利用者情報に基づいて、外部からコンテンツ情報を取得するコンテンツ情報取得手段と、
前記コンテンツ情報取得手段により取得された前記コンテンツ情報を地図情報に統合した統合画像を生成し出力する統合出力手段と、を備えることを特徴とする情報処理端末。
【請求項６】
前記コンテンツ情報取得手段は、外部の情報蓄積装置からネットワークを介して前記コンテンツ情報を取得することを特徴とする請求項５に記載の情報処理端末。
【請求項７】
前記利用者情報は、利用者が選択した情報カテゴリであることを特徴とする、請求項５または請求項６に記載の情報処理端末。
【請求項８】
前記利用者情報は、利用者の移動手段、年齢情報、メンバー構成、利用履歴、環境情報のうちいずれかを含むことを特徴とする、請求項５または請求項６に記載の情報処理端末。
【請求項９】
前記統合画像に、さらに利用者の移動軌跡を統合して出力することを特徴とする、請求項５または請求項６に記載の情報処理端末。
【発明の詳細な説明】
【技術分野】
【０００１】
コンテンツ情報のアップロードと、前記情報の選別方法と、選別されたコンテンツ情報の出力方法に関する。
【背景技術】
【０００２】
画像を地図にマッピングする際に、画像の配置位置に応じたコンテンツの出力を可能とする技術が開発されている。
【０００３】
特許文献１には、取得した画像データに含まれる位置情報を用いて地図データを特定し、地図データと共に表示すべきコンテンツ情報がある場合に、画像データとコンテンツ情報とを地図上に合成配置した地図データを出力する情報処理装置が記載されている。
【先行技術文献】
【特許文献】
【０００４】
【特許文献１】特開２０１２−１２３７４１号公報
【発明の概要】
【発明が解決しようとする課題】
【０００５】
特許文献１に記載の技術は、コンテンツを地図上に配置する技術であり、コンテンツの収集方法と前記出力装置利用者に適したコンテンツの選別方法については、考慮されていなかった。
【０００６】
そのため、装置に予め格納されている、生産者提供のコンテンツ情報しか利用できず、コンテンツが少なく充実していない、生産された時点から更新されない、生産者提供の情報では利用者にとって不要な情報も含まれ視認性が悪い、などの課題があった。
【０００７】
本発明は、上記課題を解決するものであり、多様な出力装置利用者に適した観光情報といったコンテンツの取得と、選別と、前記コンテンツを統合した地図情報の出力を可能とする技術を提供することを目的とする。
【課題を解決するための手段】
【０００８】
本発明に係る情報処理システムは、情報蓄積装置と情報処理端末からなる情報処理システムであって、情報蓄積装置は、コンテンツ情報収集手段と情報蓄積手段とを備え、コンテンツ情報収集手段は、コンテンツ情報を収集するものであり、情報蓄積手段は、コンテンツ情報および地図情報を蓄積するものであり、情報処理端末は、利用者情報取得手段とコンテンツ情報取得手段と統合出力手段とを備え、利用者情報取得手段は、利用者の属性情報または選別条件からなる利用者情報を取得するものであり、コンテンツ情報取得手段は、利用者情報に基づいて、情報蓄積装置からコンテンツ情報を取得するものであり、統合出力手段は、コンテンツ情報取得手段により取得されたコンテンツ情報を地図情報に統合した統合画像を生成し出力するものであることを特徴としている。
【０００９】
また、本発明に係る情報処理端末は、利用者の属性情報または選別条件からなる利用者情報を取得する利用者情報取得手段と、利用者情報に基づいて、外部からコンテンツ情報を取得するコンテンツ情報取得手段と、コンテンツ情報取得手段により取得されたコンテンツ情報を地図情報に統合した統合画像を生成し出力する統合出力手段と、を備えることを特徴としている。
【００１０】
また、コンテンツ情報取得手段は、外部の情報蓄積装置からネットワークを介してコンテンツ情報を取得することを特徴としている。
【００１１】
また、利用者情報は、利用者が選択した情報カテゴリであることが好ましい。
【００１２】
また、利用者情報は、利用者の移動手段、年齢情報、メンバー構成、利用履歴、環境情報のうちいずれかを含むことが好ましい。
【００１３】
また、情報処理端末は、統合画像に、さらに利用者の移動軌跡を統合して出力することが好ましい。
【００１４】
また、統合出力手段は、統合画像に、利用者の保有する画像をさらに統合して出力することが好ましい。
【００１５】
また、コンテンツ情報は、店舗情報や観光情報を含むことが好ましい。
【００１６】
また、コンテンツ情報は、位置情報を含むことが好ましい。
【００１７】
また、コンテンツ情報は、統合画像のデザイン情報を含むことが好ましい。
【００１８】
また、利用者情報は、所定の期間内にコンテンツ情報がコンテンツ情報取得手段に選別された頻度であることが好ましい。
【００１９】
また、利用者情報は、所定の時点における天候情報であることが好ましい。
【発明の効果】
【００２０】
本発明によれば、多様な出力装置利用者に適した観光情報といったコンテンツの取得と、選別と、コンテンツを統合した地図情報の出力が可能となる。
【図面の簡単な説明】
【００２１】
【図１】実施形態１の情報処理システムの構成を示す概略図である。
【図２】実施形態１の情報処理システムにおけるアップロードソフトウェアの処理の流れを示すフローチャートである。
【図３】実施形態１の情報処理システムにおけるアップロードソフトウェアの操作画面を示す図である。
【図４】実施形態１の情報処理システムにおける選別ソフトウェアの処理の流れを示すフローチャートである。
【図５】実施形態１の情報処理システムにおける選別ソフトウェアの操作画面を示す図である。
【図６】実施形態１の情報処理システムにおける統合出力ソフトウェアの処理の流れを示すフローチャートである。
【図７】実施形態１の情報処理システムにより統合生成された統合画像を示す図である。
【図８】実施形態２の情報処理システムにおける統合出力ソフトウェアの処理の流れを示すフローチャートである。
【発明を実施するための形態】
【００２２】
〔実施形態１〕
以下、本発明の実施形態１について図面を参照しながら詳細に説明する。なお、図中同一または相当部分には同一符号を付してその説明は繰返さない。
【００２３】
［システム全体］
図１は、本発明の情報処理システム２０の構成を説明する概略図である。構成要素のうち、実体のあるものを太線四角で、情報を細線四角で、ソフトウェアを角丸四角で示している。矢印は情報や要求の流れを示す。
【００２４】
本発明の情報処理システム２０は、ハードウェア構成要素としては主にサーバ２１と情報処理端末２２から構成されており、それらがネットワークを介して接続されている。
【００２５】
サーバ２１には、商業施設や、公共施設、観光施設などのコンテンツ情報３２と、地図情報３１が蓄積される。コンテンツ情報３２はアップロードソフトウェア４１を通じて、情報提供者１１によって投稿され、サーバ２１に情報として蓄積される。コンテンツ情報３２および地図情報３１は予めサーバ２１に蓄積されていてもよいし、投稿により新たに追加されてもよい。また、投稿により更新されてもよい。
【００２６】
利用者１２が利用するための端末である、施設に備えられている情報処理端末２２は、ネットワークを経由してサーバ２１に接続されている。情報処理端末２２側からの情報の要求に応じて、サーバ２１側から情報の送信・提供がなされる。
【００２７】
利用者１２は、情報処理端末２２上の選別ソフトウェア４２を利用して、コンテンツ情報３２を選別するための利用者情報３３を入力する。そのための入力手段として操作部２３を用いることができる。選別ソフトウェア４２は入力された利用者情報３３をもとに、サーバ２１に対してコンテンツ情報３２や地図情報３１の中から、選別条件に合致する情報の提供を要求する。選別ソフトウェア４２は、サーバ２１から提供された、選別条件に合致するコンテンツ情報３２や地図情報３１を、統合出力用の情報として、出力用コンテンツ情報３５および出力用地図情報３４を統合出力ソフトウェア４３に送信する。
【００２８】
統合出力ソフトウェア４３は、選別ソフトウェア４２で選別された出力用コンテンツ情報３５と出力用地図情報３４を統合して画像を生成し、表示部２４に出力する。
【００２９】
この結果、利用者１２は表示部２４に出力された画面表示や、紙への出力を得ることで、必要な情報を利用することができる。
【００３０】
次に、各ソフトウェアの機能について詳しく説明する。
【００３１】
［アップロードソフトウェア］
アップロードソフトウェア４１は、情報提供者１１がコンテンツ情報３２をサーバ２１に投稿し、情報として蓄積するために用いられるソフトウェアである。
【００３２】
図２は、本発明の情報処理システム２０のアップロードソフトウェア４１の機能についての概要を説明するフローチャートである。以下、図２をもとにアップロードソフトウェア４１の機能について説明する。
【００３３】
サーバ２１へ投稿されたコンテンツ情報３２は、アップロードソフトウェア４１により、その情報に関連性の強いカテゴリ、あるいは対象者などのタグを関連付けされて保存される。このタグ付けは、利用者１２が行ってもよいし、アップロードソフトウェア４１がコンテンツ情報３２内のキーワードを自動認識して行うこともできる。
【００３４】
アップロードソフトウェア４１は、例えばウェブブラウザなど、端末からの要求に対して投稿受付情報を送信し、情報提供者１１の投稿を受け付ける。情報提供者１１によりコンテンツ情報３２が入力され（ステップＳ１０１）、入力が完了して情報提供者１１による投稿情報確認後に投稿操作が行われる（ステップＳ１０２）。投稿操作によりコンテンツ情報３２がサーバ２１へ送信される（ステップＳ１０３）。コンテンツ情報３２は情報のカテゴリ別に関連付け・タグ付けがなされて（ステップＳ１０４）、サーバ２１に保存・蓄積される（ステップＳ１０５）。コンテンツ情報３２がサーバ２１へ投稿されて保存された後、情報提供者１１には、情報の追加があるかどうかの選択肢が提示され（ステップＳ１０６）、追加情報があれば、再度、コンテンツ情報３２の入力操作を受け付け（ステップＳ１０１、以降繰り返し）、コンテンツ情報３２が投稿される。情報提供者１１からのコンテンツ情報３２の追加がなければ、終了処理となる。
【００３５】
図３に、アップロードソフトウェア４１におけるコンテンツ情報３２投稿時の操作画面の例を示す。操作画面には、コンテンツ情報３２についての入力項目が設けられている。情報提供者１１は、アップロードソフトウェア４１上に設けられている項目に、コンテンツ情報３２を入力し、投稿することができる。この時、コンテンツの地点を入力することで、地図情報３１との画像統合が可能となる。
【００３６】
コンテンツ情報３２は、商業施設や、公共施設、観光施設などの情報であり、詳細説明、写真画像、住所などの所在地、電話番号、位置情報、口コミ情報、評価などを含んでいてもよい。中でも上記例の「地点」のように、住所などの所在地、位置情報が含まれていると、地図情報３１との画像統合時に関連付けや、配置ができて有用である。また、タグ情報は、情報提供者１１が指定してもよいし、説明文や情報の中の文言からソフトウェアにより自動で判別されて登録されてもよい。また、これらの情報やタグについて、最初の情報提供者１１のみが修正更新できるようにしてもよいし、別の情報提供者が後から修正更新できるようにしてもよい。コンテンツ情報は、店舗情報や観光情報を含む場合、利用者が有益な情報を享受できるだけではなく、情報提供者は自らの施設の情報を提供することによって宣伝を行うことができる。コンテンツ情報は、位置情報を含む場合、コンテンツ情報を地図上の位置と関連付けて統合することができ、利用者の利便性や理解度がさらに向上する。
【００３７】
アップロードソフトウェア４１は、ウェブブラウザ上や、専用アプリケーションとして一般の通信端末から利用されてもよいし、情報処理端末２２上の操作部２３などで、操作されてもよい。例えば、図１ではアップロードソフトウェア４１がサーバ２１上に存在し、コンテンツ情報３２を取得してサーバ２１に蓄積する形態を示したが、必ずしもこの形態に限るものではない。例えば、情報提供者１１により、サーバ２１に直接コンテンツ情報３２が入力されてもよいし、別の装置や一般の通信端末、あるいは情報処理端末２２にてコンテンツ情報３２が入力され、その装置や端末からネットワークを通じてサーバ２１へ送信されてもよい。またアップロードソフトウェア４１がサーバ２１上に存在してもよいし、利用者１２が入力する情報処理端末２２に存在してもよい。つまりアップロードソフトウェア４１の存在する装置や端末は特に限定されるものではない。
【００３８】
アップロードソフトウェア４１についての説明は上述の通りである。すなわち、コンテンツ情報３２は情報提供者１１により提供され、アップロードソフトウェア４１などによって実現されるコンテンツ情報収集手段を通じて、コンテンツ情報蓄積手段であるサーバ２１に蓄積される。
【００３９】
［選別ソフトウェア］
選別ソフトウェア４２は利用者１２から利用者情報３３を取得して選別条件を決定し、選別条件に合うコンテンツ情報３２および地図情報３１をサーバ２１に要求して取得することで情報を選別し、出力用コンテンツ情報３５および出力用地図情報３４として送信するために用いられるソフトウェアである。
【００４０】
図４は、本発明の情報処理システム２０の選別ソフトウェア４２の機能についての概要を説明するフローチャートである。以下、図４をもとに選別ソフトウェア４２の機能について説明する。
【００４１】
選別ソフトウェア４２では、利用者１２によって選別条件の入力がされると（ステップＳ２０１）、選別条件に合致したコンテンツ情報３２の取得要求をサーバ２１へ行う（ステップＳ２０２）。取得要求に対するサーバ２１からの応答情報を取得する（ステップＳ２０３）。応答情報として、選別条件に合致するコンテンツ情報３２の有無が判断され（ステップＳ２０４）、もし合致したデータがなければ、情報がない旨を利用者１２へ通知し（ステップＳ２０５）、再度選別条件の入力を要求する（ステップＳ２０１、以降繰り返し）。
【００４２】
合致したデータがあれば次のステップとして、取得したコンテンツ情報３２の数が、最終的に出力される統合画像の大きさに収まる範囲の数であるかが判断され（ステップＳ２０６）、範囲内であれば、出力用コンテンツ情報３５として統合出力ソフトウェア４３への送信が行われる（ステップＳ２０７）。
【００４３】
取得したコンテンツ情報３２の数が、最終的に出力される統合画像の大きさに収まる範囲を超えた場合、複数枚の画像に分けて出力することについての許可要求を、利用者１２へ提示する（ステップＳ２０８）。
【００４４】
許可要求の提示に対して、利用者１２は複数枚で出力するか否かを判断をする（ステップＳ２０９）。利用者１２が許可をすれば、選別されたコンテンツ情報３２は、出力用コンテンツ情報３５として統合出力ソフトウェア４３へ送信される（ステップＳ２０７）。
【００４５】
許可要求の提示に対して、利用者１２が拒否をすれば、利用者１２へコンテンツ情報３２のさらなる絞り込み操作を要求する（ステップＳ２１０）。絞り込み操作は、コンテンツ情報３２の羅列に対して、利用者１２が選択する、もしくは、選別カテゴリ情報を追加入力するなどの手法をとることができる（ステップＳ２１１）。絞り込み入力が終わると利用者１２に対して確認の上（ステップＳ２１２）、利用者１２が許可すれば絞り込み操作は完了し、選別されたコンテンツ情報３２は出力用コンテンツ情報３５として統合出力ソフトウェア４３へ送信される（ステップＳ２０７）。利用者１２が拒否をすれば、絞り込み操作を再度要求する（ステップＳ２１０）。
【００４６】
出力用コンテンツ情報３５の、統合出力ソフトウェア４３への送信が完了すると、選別ソフトウェア４２は終了処理を行う。
【００４７】
このように、選別ソフトウェア４２が利用者１２に向けて対話形式で確認や絞り込みをしていく際には、具体的な統合画像を表示・提示しながら利用者１２に確認することで、出力する統合画像を利用者１２の所望の内容に近づけていくことができる。
【００４８】
取得したコンテンツ情報３２の数が、最終的に出力される統合画像の大きさに収まらない場合、利用者１２に確認する他に、選別ソフトウェア４２が利用者情報３３に基づいて適宜重要性を判断し選別することも可能である。
【００４９】
選別ソフトウェア４２は、利用者１２が、施設などにある情報処理端末２２で操作する。選別ソフトウェア４２は、選別する手がかり、つまり選別条件として利用者情報３３を得るため、利用者１２の情報や、必要とする情報の検索キーワードなどを利用者１２に入力するよう求めたり、選択肢を提示して利用者１２の選択を求めたりする。その際の表示デバイスとしては、情報処理端末２２の表示部２４を用いることができ、利用者１２の入力デバイスとしては同じく情報処理端末２２の操作部２３を用いることができる。
【００５０】
図５に選別ソフトウェア４２における利用者１２の利用者情報３３入力時の操作画面の例を示す。操作画面には、利用者情報３３についての入力項目が設けられている。利用者１２は、選別ソフトウェア４２に提示された項目に回答する。また、回答は必ずしも全ての項目に対して行う必要はない。
【００５１】
選別ソフトウェア４２は、利用者１２が直接回答する項目に加え、情報処理システム利用時や想定される情報利用時の天候などの環境情報や、利用する地図情報３１の地点のイベントなどの情報も手がかりに、選別処理を行う。
【００５２】
利用者情報３３としては、上記のように利用者１２が要求するものであったり、選別ソフトウェア４２が自動で選別するものであったりするが、いずれにおいても様々な選別基準や情報種別を用いることができる。例えば、利用者１２が選択した情報カテゴリであったり、利用者の移動手段、年齢情報、メンバー構成、利用履歴、環境情報であったり、所定の期間内に前記コンテンツ情報が前記コンテンツ情報取得手段に選別された頻度であったり、所定の時点における天候情報であったりしてもよい。
【００５３】
例えば利用者情報は、利用者が選択した情報カテゴリである場合、利用者の趣向に合った、有益な情報を効率よく提供することができる。
【００５４】
例えば利用者情報は、利用者の移動手段、年齢情報、メンバー構成、利用履歴、環境情報のうちいずれかを含む場合、例えば移動手段であれば、利用者の移動手段に適した観光ルートや、情報の重み付けなどの情報選別が可能である。また、年齢情報や性別情報であれば、世代や性別の趣向や運動能力などの利用者状態に合わせた情報選別が可能である。また、メンバー構成であれば、家族での利用や個人での利用といった、メンバー構成に適した情報選別が可能である。また、利用履歴であれば、過去に出力（閲覧）したコンテンツ情報は選別しない、あるいは簡略化するなどの、情報の最適化が可能である。その他、様々な利用者の趣向や利用時の状況に合わせた情報選別が可能である。
【００５５】
例えば利用者情報は、所定の期間内にコンテンツ情報がコンテンツ情報取得手段に選別された頻度である場合、多くの利用者に利用されるコンテンツ情報が選別されやすくするようにできるので、利用者は、世間的に注目されているコンテンツ情報を効率よく利用することができる。逆に、該当地域の情報をすでに熟知しており、あまり注目されないコンテンツ情報を高価値とする利用者にとっては、あまり利用されていないコンテンツ情報を選別されやすくするようにすれば、珍しい情報として効率よく利用することができる。つまり注目度を選別基準に加えることにより、利用者は自らの属性に応じた、より有益なコンテンツ情報を利用することができる。
【００５６】
例えば利用者情報は、所定の時点における天候情報である場合、アウトドア、インドアなどといった利用時の天候状況に適応したコンテンツ情報の選別が可能となり、利用者にとっての利便性が向上する。
【００５７】
なお、本実施形態１では図１に示すように選別ソフトウェア４２は利用者情報３３に応じて、必要な地図情報３１をサーバ２１に要求して取得し、出力用地図情報３４として統合出力ソフトウェア４３に送信する構成を示したが、必ずしもこの限りではない。例えば選別ソフトウェア４２が地図情報３１を直接取り扱うことなく、コンテンツ情報３２だけを選別・取得する構成でもよい。その場合は他のソフトウェア、例えば統合出力ソフトウェア４３が地図情報３１を直接サーバ２１に要求して取得すればよい。
【００５８】
選別ソフトウェア４２についての説明は上述の通りである。すなわち、選別ソフトウェア４２などによって実現される利用者情報取得手段によって利用者情報３３が取得される。さらに利用者情報３３に基づいて、選別ソフトウェア４２などによって実現されるコンテンツ情報取得手段によってコンテンツ情報３２が選別され取得される。
【００５９】
［統合出力ソフトウェア］
統合出力ソフトウェア４３は、選別ソフトウェア４２で選別された出力用コンテンツ情報３５と出力用地図情報３４を用いて統合画像を生成するために用いられるソフトウェアである。
【００６０】
図６は、実施形態１における統合出力ソフトウェア４３の機能についての概要を説明するフローチャートである。以下、図６をもとに実施形態１の統合出力ソフトウェア４３の機能について説明する。
【００６１】
統合出力ソフトウェア４３は、上述のように選別ソフトウェア４２から出力用コンテンツ情報３５を取得し（ステップＳ３０１）、出力用地図情報３４を取得する（ステップＳ３０２）。得られた上記情報を用いて統合画像を生成し（ステップＳ３０３）、統合画像の出力を行う（ステップＳ３０５）。統合画像の出力については、例えば情報処理端末２２上の表示部２４に、画像表示する。利用者１２は所望の情報であることを確認し、情報を利用できる。得られた統合画像の利用形態としては、その場で紙に出力されてもよいし、携帯情報端末に送信されてもよい。また、上記情報（出力用コンテンツ情報３５および出力用地図情報３４）を取得するステップＳ３０１とＳ３０２の順序は逆でも構わない。
【００６２】
以上のように、統合出力ソフトウェア４３などによって実現される統合出力手段により、選別された出力用コンテンツ情報３５と出力用地図情報３４が統合されて統合画像が生成され出力される。
【００６３】
なお、選別ソフトウェア４２の項にて説明したように、統合出力ソフトウェア４３が地図情報３１をサーバ２１より直接取得して、統合画像を生成する構成も可能である。
【００６４】
［統合画像］
統合画像は、統合出力ソフトウェア４３によって出力用コンテンツ情報３５および出力用地図情報３４をもとに統合生成される。
【００６５】
図７に、統合画像の例を示す。
【００６６】
統合画像は、地図情報に、商業施設や公共施設、観光施設などのコンテンツ情報や、ご当地のマスコットキャラクターや画像背景などのデザイン情報が統合された画像である。
【００６７】
出力用コンテンツ情報３５は、出力用地図情報３４の両脇に統合されたり、地図上に統合されたり、地図の裏面に統合されたりと様々なレイアウトで、統合される。さらに、このレイアウト自体もコンテンツ情報３２として情報提供者１１がサーバ２１に蓄積しておき、対応する統合出力ソフトウェア４３によって表現できる構成であれば、情報提供者１１の意図する内容をより忠実に表現でき、それを利用者１２が利用できる。
【００６８】
他に、コンテンツ情報を拡張現実コンテンツに置き換え、そのためのタグを統合したり、利用者の移動履歴や写真情報などを地図上に統合したりすることが可能である。
【００６９】
コンテンツ情報は、統合画像のデザイン情報を含む場合、マップのレイアウトを手軽に変更することが可能となる。さらに、統合画像の利用目的や利用者の属性に応じてデザインを変更できる。
【００７０】
〔実施形態２〕
本発明の実施形態２について、図面を参照し説明すれば以下の通りである。
【００７１】
実施形態２は、統合出力ソフトウェア４３が、利用者１２の使用する携帯情報端末と連携する機能をさらに有するものであり、連携機能を有すること以外については、実施形態１の各要素の構成、機能と同一である。以下、実施形態１と異なる部分について説明する。
【００７２】
図８は、実施形態２における統合出力ソフトウェア４３の機能についての概要を説明するフローチャートである。以下、図８をもとに実施形態２の統合出力ソフトウェア４３の機能について説明する。
【００７３】
統合出力ソフトウェア４３が選別ソフトウェア４２から出力用コンテンツ情報３５を取得し（ステップＳ３０１）、出力用地図情報３４を取得し（ステップＳ３０２）、統合画像を生成する（ステップＳ３０３）ところまでは実施形態１と同様である。
【００７４】
次に、携帯情報端末との連携要求を提示し利用者１２の判断を要求する（ステップＳ３０４）。利用者１２が携帯情報端末連携を許可しなければ、実施形態１と同様に連携せずそのまま統合画像の出力を行う（ステップＳ３０５）。利用者１２が連携を許可した場合には、携帯情報端末内の写真情報やＧＰＳ履歴を利用するための次のステップに進む。
【００７５】
まず、統合出力ソフトウェア４３は利用者１２の写真情報を取得する許可を要求する（ステップＳ３０６）。
【００７６】
写真情報の取得要求に対して利用者１２が判断する（ステップＳ３０７）。利用者１２が許可すれば、写真情報の位置情報などを用いて、統合画像へ利用者１２の携帯情報端末内の写真が統合される（ステップＳ３０８）。写真情報の取得要求に対して、利用者１２が拒否すれば、ＧＰＳ履歴取得要求へ遷移する（ステップＳ３０９）。
【００７７】
次に、ＧＰＳ履歴取得要求に対して利用者１２が判断する（ステップＳ３１０）。利用者１２が許可を行うと、ＧＰＳ履歴、つまり利用者１２の移動軌跡が統合画像へプロットされる（ステップＳ３１１）。ＧＰＳ履歴取得要求に対して、利用者１２が拒否を行うと、ＧＰＳ履歴を統合画像へプロットしない。
【００７８】
これらの携帯情報端末との連携によって統合画像にさらに情報が追加された後、統合画像が出力される（ステップＳ３０５）。なお、携帯情報端末連携の遷移順番は、必ずしも上記に限られるものではない。
【００７９】
なお、情報処理システムは、統合画像に、さらに利用者の移動軌跡を統合して出力する場合、旅の軌跡や行程などの情報を含む画像の生成が可能であり、利用者の利便性や理解度が向上する。また、統合出力手段は、統合画像に、利用者の保有する画像をさらに統合して出力する場合、撮影した画像を統合することで利用者の利便性や理解度が向上する。さらに、撮影した画像と、地図における撮影場所とを関連付けすれば、利用者の利便性や理解度がさらに向上する。
【００８０】
本発明に係る情報処理システムは、情報蓄積装置と情報処理端末からなる情報処理システムであって、情報蓄積装置は、コンテンツ情報収集手段と情報蓄積手段とを備え、コンテンツ情報収集手段は、コンテンツ情報を収集するものであり、情報蓄積手段は、コンテンツ情報および地図情報を蓄積するものであり、情報処理端末は、利用者情報取得手段とコンテンツ情報取得手段と統合出力手段とを備え、利用者情報取得手段は、利用者の属性情報または選別条件からなる利用者情報を取得するものであり、コンテンツ情報取得手段は、利用者情報に基づいて、情報蓄積装置からコンテンツ情報を取得するものであり、統合出力手段は、コンテンツ情報取得手段により取得されたコンテンツ情報を地図情報に統合した統合画像を生成し出力するものであることを特徴としている。
【００８１】
また、本発明に係る情報処理端末は、利用者の属性情報または選別条件からなる利用者情報を取得する利用者情報取得手段と、利用者情報に基づいて、外部からコンテンツ情報を取得するコンテンツ情報取得手段と、コンテンツ情報取得手段により取得されたコンテンツ情報を地図情報に統合した統合画像を生成し出力する統合出力手段と、を備えることを特徴としている。
【００８２】
また、コンテンツ情報取得手段は、外部の情報蓄積装置からネットワークを介してコンテンツ情報を取得することを特徴としている。
【００８３】
上記構成によれば、多様な出力装置利用者に適した観光情報といったコンテンツの取得と、選別と、コンテンツを統合した地図情報の出力が可能となる、という効果を奏する。すなわち、アップロードソフトウェアを用いることで、システムを提供する事業者だけでなく、様々な人がコンテンツ情報を提供できるため、コンテンツ情報を豊富かつ最新の状態に更新することが可能である。さらに、提供された情報の中から利用者に適したコンテンツと地図の統合画像を、複合機などの端末が備えられている施設で出力できる。これにより、利用者にとって便利で理解しやすい最新の地図情報や観光情報、店舗情報を得ることができる、という効果を奏する。
【００８４】
また、利用者情報は、利用者が選択した情報カテゴリであることが好ましい。
【００８５】
上記構成によれば、利用者の趣向に合った、有益な情報を効率よく提供することができる、という効果を奏する。
【００８６】
また、利用者情報は、利用者の移動手段、年齢情報、メンバー構成、利用履歴、環境情報のうちいずれかを含むことが好ましい。
【００８７】
上記構成によれば、例えば移動手段であれば、利用者の移動手段に適した観光ルートや、情報の重み付けなどの情報選別が可能である。また、年齢情報や性別情報であれば、世代や性別の趣向や運動能力などの利用者状態に合わせた情報選別が可能である。また、メンバー構成であれば、家族での利用や個人での利用といった、メンバー構成に適した情報選別が可能である。また、利用履歴であれば、過去に出力（閲覧）したコンテンツ情報は選別しない、あるいは簡略化するなどの、情報の最適化が可能である。その他、様々な利用者の趣向や利用時の状況に合わせた情報選別が可能である、という効果を奏する。
【００８８】
また、情報処理端末は、統合画像に、さらに利用者の移動軌跡を統合して出力することが好ましい。
【００８９】
上記構成によれば、旅の軌跡や行程などの情報を含む画像の生成が可能であり、利用者の利便性や理解度が向上する、という効果を奏する。
【００９０】
また、統合出力手段は、統合画像に、利用者の保有する画像をさらに統合して出力することが好ましい。
【００９１】
上記構成によれば、撮影した画像を統合することで利用者の利便性や理解度が向上する。さらに、撮影した画像と、地図における撮影場所とを関連付けすれば、利用者の利便性や理解度がさらに向上する、という効果を奏する。
【００９２】
また、コンテンツ情報は、店舗情報や観光情報を含むことが好ましい。
【００９３】
上記構成によれば、利用者が有益な情報を享受できるだけではなく、情報提供者は自らの施設の情報を提供することによって宣伝を行うことができる、という効果を奏する。
【００９４】
また、コンテンツ情報は、位置情報を含むことが好ましい。
【００９５】
上記構成によれば、コンテンツ情報を地図上の位置と関連付けて統合することができ、利用者の利便性や理解度がさらに向上する、という効果を奏する。
【００９６】
また、コンテンツ情報は、統合画像のデザイン情報を含むことが好ましい。
【００９７】
上記構成によれば、マップのレイアウトを手軽に変更することが可能となる。さらに、統合画像の利用目的や利用者の属性に応じてデザインを変更できる、という効果を奏する。
【００９８】
また、利用者情報は、所定の期間内にコンテンツ情報がコンテンツ情報取得手段に選別された頻度であることが好ましい。
【００９９】
上記構成によれば、多くの利用者に利用されるコンテンツ情報が選別されやすくするようにできるので、利用者は、世間的に注目されているコンテンツ情報を効率よく利用することができる。逆に、該当地域の情報をすでに熟知しており、あまり注目されないコンテンツ情報を高価値とする利用者にとっては、あまり利用されていないコンテンツ情報を選別されやすくするようにすれば、珍しい情報として効率よく利用することができる。つまり注目度を選別基準に加えることにより、利用者は自らの属性に応じた、より有益なコンテンツ情報を利用することができる、という効果を奏する。
【０１００】
また、利用者情報は、所定の時点における天候情報であることが好ましい。
【０１０１】
上記構成によれば、アウトドア、インドアなどといった利用時の天候状況に適応したコンテンツ情報の選別が可能となり、利用者にとっての利便性が向上する、という効果を奏する。
【産業上の利用可能性】
【０１０２】
本発明は、コンテンツ情報と地図情報を統合した画像を、コンビニエンスストアなどの店舗に備えられたＭＦＰ（多機能周辺装置、プリンタ複合機）で印刷したり、携帯情報端末などに送信して利用したりできる。
【符号の説明】
【０１０３】
１１  情報提供者
１２  利用者
２０  情報処理システム
２１  サーバ
２２  情報処理端末
２３  操作部
２４  表示部
３１  地図情報
３２  コンテンツ情報
３３  利用者情報
３４  出力用地図情報
３５  出力用コンテンツ情報
４１  アップロードソフトウェア
４２  選別ソフトウェア
４３  統合出力ソフトウェア
【図１】
2015082277.tif 000003
【図２】
2015082277.tif 000004
【図３】
2015082277.tif 000005
【図４】
2015082277.tif 000006
【図５】
2015082277.tif 000007
【図６】
2015082277.tif 000008
【図７】
2015082277.tif 000009
【図８】
2015082277.tif 000010